【事件の表示】
　特許第３０４００３９号「液晶表示ボード」の請求項１に係る特許に対する特許異議の申立てについて、次のとおり決定する。
【結　論】
　訂正を認める。
　特許第３０４００３９号の請求項１に係る特許を維持する。
【理　由】
１．手続の経緯
　特許第３０４００３９号の発明は、平成５年２月１８日に出願され、平成１２年３月３日にその特許の設定の登録がなされ、その後、矢部　嘉一により特許異議の申立がなされ、取消理由通知がなされ、その指定期間内の平成１３年３月２７日付けで訂正請求がなされたものである。
　
２．訂正の適否についての判断
（１）訂正の内容
　訂正事項ａ．特許請求の範囲の請求項１中において、「前記回路基板の少なくとも一方が、」を「前記回路基板の一方は前記液晶表示パネルに対してほぼ垂直に折り曲げられ、前記回路基板の他方は」と訂正する。
　訂正事項ｂ．特許請求の範囲の請求項１中において、「前記折り曲げられた部分で接し前記液晶表示パネルに対する垂直平面より」を「前記ＴＡＢの折曲げ部における前記液晶表示パネルと垂直平面より」と訂正する。
　訂正事項ｃ．明細書の段落番号００１０の「前記回路基板の少なくとも一方が、前記折り曲げられた部分で接し前記液晶表示パネルに対する垂直平面より」を「前記回路基板の一方は前記液晶表示パネルに対してほぼ垂直に折り曲げられ、前記回路基板の他方は前記ＴＡＢの折曲げ部における前記液晶表示パネルと垂直平面より」と訂正する。
　
（２）訂正の目的の適否、新規事項の有無及び拡張・変更の存否
　上記訂正事項ａは、図１と図２及び段落番号００１８の「この際他方の回路基板３ａが垂直方向にしか折り曲げられていないばあいには、垂直方向に折り曲げられた回路基板３ａ上のＩＣ６やソケット７などの高さを吸収できる分だけ余計に折り曲げておくことが好ましい。」との記載に基づいて、回路基板の折曲げ方を限定するものであるから、特許請求の範囲の減縮に該当し、訂正事項ｂは、明りょうでない記載の釈明に該当し、訂正事項ｃは、訂正事項ａ及びｂの特許請求の範囲の訂正に伴いそれとの整合を図るものであり、明りょうでない記載の釈明に該当する。そしてこれらは、いずれも、新規事項の追加に該当せず、実質的に特許請求の範囲を拡張又は変更するものではない。
　
（３）むすび
　したがって、上記訂正は、特許法第１２０条の４第２項の規定並びに第３項において準用する平成６年法律第１１６号による改正前の特許法第１２６条第１項ただし書き及び第２項の規定に適合するので、当該訂正を認める。
　
３．特許異議の申立についての判断
（１）申立ての理由の概要
　申立人矢部　嘉一は、証拠として甲第２号証ないし甲第４号証を提出し、本件の請求項１に係る発明は、甲第２号証ないし甲第４号証に記載の事項から当業者が容易に発明できたものであり、特許法第２９条第２項の規定に違反してなされたものであるから、特許を取り消すべき旨主張している。
　
（２）本件発明
　　上記２．で示したように上記訂正が認められるから、本件の請求項１に係る発明は訂正明細書の特許請求の範囲の請求項１に記載された事項により特定される次のとおりのものである。
「液晶表示パネルの両側にそれぞれＴＡＢを介して駆動回路が形成された回路基板が接続されると共に、該回路基板が前記ＴＡＢ部分で折り曲げられてコ字形に形成された複数個の液晶表示装置が、少なくとも直線方向に並べられて大型の表示装置を構成する液晶表示ボードであって、前記複数個のコ字形の液晶表示装置が該液晶表示装置の幅より長い棒状のバックライトを跨いでそれぞれ配列されると共に、前記回路基板の一方は前記液晶表示パネルに対してほぼ垂直になるように折り曲げられ、前記回路基板の他方は前記ＴＡＢの折曲げ部における前記液晶表示パネルと垂直平面より内側に前記回路基板上の素子が位置するように前記ＴＡＢ部分で前記液晶表示パネルと鋭角をなすように折り曲げられてなる液晶表示ボード。」
　
（３）甲各号証記載の発明
　特許異議申立人が提出した甲第２号証（実公平１−２３１６５号公報）には、
「液晶表示セルの左右両縁部に該液晶表示セルを駆動する回路が搭載された回路基板がフレキシブルプリント基板を介してそれぞれ連結されて成る液晶表示ユニットにおいて、前記回路基板は、前記液晶表示セルの左右両縁部で折曲形成された前記フレキシブルプリント基板に一方の縁部が接続されて前記液晶表示セルの背面位置に配設されかつ前記液晶表示セルの背面に位置するシャーシに形成された突出部の溝に他方の縁部が挿入されて固定位置決めされ、前記回路基板に搭載された回路は、前記シャーシ内の貫通口に収納されていることを特徴とする液晶表示ユニット。」（実用新案登録請求の範囲）
「第２図ａは本考案における液晶表示ユニットの一実施例の組立て過程での側面断面図・・・である。・・・又、フレキシブルプリント基板７を折り曲げることにより液晶セル５と駆動回路基板６とによってプラスチック樹脂からなるシャーシ８が挟持される。」（２頁左上欄５〜１７行）と記載されている。
　同じく、甲第３号証（フラットパネル・ディスプレイ　１９９１　日経ＢＰ社、１９９０年１１月２６日発行）の１８９頁図１（ｄ）及び１９０頁の説明には、ブック型パソコン用の液晶パネルにＴＡＢパッケージのＬＳＩを異方性導電フィルムを用いて接続し、該ＬＳＩを載置したプリント配線基板をライトボックスの傾斜した側壁に沿わせて屈曲して実装し、前記液晶パネルの一方端側で前記液晶パネルと前記プリント配線基板とのなす角度が鋭角であり、前記液晶パネルに対する垂直平面より内側に前記プリント配線基板上の素子が位置されたものが開示されている。
　同じく、甲第４号証（特開平２−２７５９２８号公報）には、複数個の透過型液晶表示ユニット１００がマトリックス状に並べられた大型液晶表示装置であって、前記複数個の直線方向に並べられた液晶表示ユニットが該液晶表示ユニットの幅より長い棒状のバックライト１７の上方に配列された大形液晶表示ユニットが第４図及び第６図と共に記載されている。
　
（４）対比・判断
　本件の訂正された請求項１に係る発明（以下、「本件発明」という。）と甲各号証記載の発明とを対比する。
　まず、本件発明は、本件明細書の【０００７】〜【０００９】に記載されているように、液晶表示パネルの両側にＴＡＢを介して接続した回路基板を、液晶表示パネルに対して垂直方向にＴＡＢ部分で折り曲げ、コ字形に形成するものにおいて、ＩＣやソケットなどが回路基板の表面に出張っており、液晶表示装置の液晶表示パネルと他の液晶表示パネルとのあいだにデッドスペースができたり、直線状に並べた液晶表示装置の１個を不良のために取り替える際に、回路基板表面のＩＣなどが液晶表示装置を固定する枠に当って取り外しにくいという問題を解決することを目的とするものである。
　これに対し、甲第２号証記載のものは、液晶表示ユニットとバックライトとの関係が何も記載されておらず、第２図ａには、液晶表示ユニットの組立て過程で、駆動回路基板が液晶セルと鋭角状に折り曲げられたものが図示されているものの、最終的には液晶セルと駆動回路基板とによってシャーシが挟持され（液晶セルと駆動回路基板がほぼ平行に配置され）、前記回路基板に搭載された回路（本件発明のＩＣに相当）は、前記シャーシ内の貫通口に収納されるものであるから、本件発明の「複数個のコ字形の液晶表示装置が該液晶表示装置の幅より長い棒状のバックライトを跨いでそれぞれ配列されると共に、前記回路基板の一方は前記液晶表示パネルに対してほぼ垂直に折り曲げられ、前記回路基板の他方は前記ＴＡＢの折曲げ部における前記液晶表示パネルと垂直平面より内側に前記回路基板上の素子が位置するように前記ＴＡＢ部分で前記液晶表示パネルと鋭角をなすように折り曲げられてなる」構成要件を具備しておらず、課題も異なっている。
　また、甲第４号証記載のものも、液晶表示ユニットの具体的な構成はなにも開示されておらず、甲第２号証記載のものと同様、上記本件発明の構成要件及び課題を備えていない。
　さらに、甲第３号証記載のものは、ブック型パソコン用のものであり、本件発明のような課題は何も記載されておらず、構成についても、液晶表示パネルの他方側のプリント基板がどのように配置されているかは記載されていない。結局、甲第３号証記載のものは、本件発明の「複数個のコ字形の液晶表示装置が該液晶表示装置の幅より長い棒状のバックライトを跨いでそれぞれ配列されると共に、前記回路基板の一方は前記液晶表示パネルに対してほぼ垂直に折り曲げられ、」てなる構成は備えていない。
　したがって、甲第２号証〜甲第４号証に記載された発明を組み合わせること自体困難であるし、組み合わせたとしても、本件発明に想到することは容易ではない。
（５）むすび
　以上のとおり、特許異議申立の理由及び証拠によっては、本件発明の特許を取り消すことができない。
　また、他に本件発明の特許を取消すべき理由を発見しない。
　
　よって、結論のとおり決定する。
【異議決定日】
平成１３年４月２４日（２００１．４．２４）
【訂正の要旨】
　訂正の要旨
　ａ．特許請求の範囲の請求項１中において、「前記回路基板の少なくとも一方が、」を特許請求の範囲の減縮を目的として、「前記回路基板の一方は前記液晶表示パネルに対してほぼ垂直に折り曲げられ、前記回路基板の他方は」と訂正する。
　ｂ．特許請求の範囲の請求項１において、「前記折り曲げられた部分で接し前記液晶表示パネルに対する垂直平面より」を明瞭でない記載の釈明を目的として、「前記ＴＡＢの折曲げ部における前記液晶表示パネルと垂直平面より」と訂正する。
　ｃ．ａおよびｂの訂正に伴い、特許請求の範囲の記載と発明の詳細な説明の記載との整合を図るため、明瞭でない記載の釈明を目的として、明細書の段落番号００１０の「前記回路基板の少なくとも一方が、前記折り曲げられた部分で接し前記液晶表示パネルに対する垂直平面より」を「前記回路基板の一方は前記液晶表示パネルに対してほぼ垂直になるように折り曲げられ、前記回路基板の他方は前記ＴＡＢの折曲げ部における前記液晶表示パネルと垂直平面より」と訂正する。
（５４）【発明の名称】
液晶表示ボード
（５７）【特許請求の範囲】
　【請求項１】　液晶表示パネルの両側にそれぞれＴＡＢを介して駆動回路が形成された回路基板が接続されると共に、該回路基板が前記ＴＡＢ部分で折り曲げられてコ字形に形成された複数個の液晶表示装置が、少なくとも直線方向に並べられて大型の表示装置を構成する液晶表示ボードであって、前記複数個のコ字形の液晶表示装置が該液晶表示装置の幅より長い棒状のバックライトを跨いでそれぞれ配列されると共に、
前記回路基板の一方は前記液晶表示パネルに対してほぼ垂直になるように折り曲げられ、前記回路基板の他方は別記ＴＡＢの折曲げ部における
と
【発明の詳細な説明】
　【０００１】
　【産業上の利用分野】
　本発明は液晶表示パネルの両側にＴＡＢを介して駆動回路が形成された回路基板が接続されてなる液晶表示装置に関する。さらに詳しくは、液晶表示装置が直線状またはマトリックス状に多数個配列されて大型の表示ボードとされたばあいに、液晶表示装置間のデッドスペースを少なくすると共に、個々の装置の取替えを容易にできる液晶表示ボードに関する。
　【０００２】
　ここにＴＡＢとは、多数の箔状リード線が可撓性フィルムで保持され、一方の回路端子部と他方の回路端子部とを接続すると共に屈曲性を有するものを意味し、前記箔状リード線の途中にＩＣなどの信号処理回路を有するものも、有しないものも含む。
　【０００３】
　【従来の技術】
　液晶表示装置は液晶層を挾持した２枚の透明基板にそれぞれ電極膜が設けられ、各画素ごとに両電極間に印加される電圧に応じて、液晶の分子の配向性が変化し、裏面側に配置された光源の光の透過率の変化により、各画素で組み立てられた文字や図形を表示する。そのため、各画素ごとに電圧の印加を制御する駆動回路が設けられ、液晶表示パネルの周囲に配置されている。
　【０００４】
　従来の液晶表示装置は各種電子機器のタイマーや表示機器など、ゲーム機器、またはワープロ、パソコンなどのＯＡ機器などに主として用いられ、いずれもパーソナルユースのもので、大きさも比較的小さい。
　【０００５】
　一方、駅や飛行場などでの行先表示や街頭での案内板などの表示ボードにはＬＥＤが主として使用されている。
　【０００６】
　【発明が解決しようとする課題】
　しかし、ＬＥＤは消費電力が大きく、また強い光のあたるところでは見にくいという問題がある。これに対して液晶表示装置は消費電力も小さく、薄型の表示装置が可能であり、またバックライトの透過光のみならず、反射光もＯＮ、ＯＦＦできるため、従来の屋内での電子機器やゲーム機などのみならず、駅や飛行場での行先表示や街頭など外部光の強い場所や大勢の人が集まる公共施設などでの案内板などに用いられることが考えられている。このばあいは、液晶表示パネルと駆動回路を形成した回路基板とをＴＡＢなどで接続した、たとえば表示パネル部が１０ｃｍ角程度の液晶表示装置を直線状またはマトリックス状に数１０個から数１００個配列し、一辺が数１０ｃｍから数ｍにもなるような大型の表示ボードにすることが考えられている。
　【０００７】
　このばあい、液晶表示パネルの両側にＴＡＢを介して接続した回路基板を、液晶表示パネルに対して垂直方向にＴＡＢ部分で折り曲げ、コ字形に形成することが試みられている。
　【０００８】
　一方、回路基板の表面にはＩＣや入力信号用などのソケットなどが設けられており、回路基板の表面に出張っており、液晶表示装置の液晶表示パネルと他の液晶表示パネルとのあいだにデッドスペースができたり、直線状に並べた液晶表示装置の１個を不良のために取り替える際に、回路基板表面のＩＣなどが液晶表示装置を固定する枠に当って取り外しにくいという問題がある。
　【０００９】
　本発明はこれらの問題を解決して、デッドスペースの少ない表示ボードがえられ、しかも直線状またはマトリックス状に並べられた液晶表示装置のうちの１個を容易に取り替えられる液晶表示ボードを提供することを目的とする。
　【００１０】
　【課題を解決するための手段】
　本発明による液晶表示ボードは、液晶表示パネルの両側にそれぞれＴＡＢを介して駆動回路が形成された回路基板が接続されると共に、該回路基板が前記ＴＡＢ部分で折り曲げられてコ字形に形成された複数個の液晶表示装置が、少なくとも直線方向に並べられて大型の表示装置を構成する液晶表示ボードであって、前記複数個のコ字形の液晶表示装置が該液晶表示装置の幅より長い棒状のバックライトを跨いでそれぞれ配列されると共に、
前記回路基板の一方は前記液晶表示パネルに対してほぼ垂直になるように折り曲げられ、前記回路基板の他方は前記ＴＡＢの折曲げ部における
と
　【００１１】
　【作用】
　本発明によれば、液晶表示パネルの両側に接続された回路基板の少なくとも一方が液晶表示パネルに対して内側に折り曲げられ、該折り曲げられた部分で接し前記液晶表示パネルに対する垂直平面より内側に前記回路基板上の素子が位置するように該液晶表示パネルと該回路基板とが鋭角をなしているため、液晶表示装置を接近して並べることができる。その結果、液晶表示装置間のデッドスペースを大幅に減らすことができ、表示特性が向上すると共に見易いスクロール表示をすることもできる。
　【００１２】
　また、直線状またはマトリックス状に並べられた液晶表示装置のうちの１個を取り替えるばあいでも、鋭角に曲げられた回路基板と反対側（両方の回路基板が鋭角に曲げられているときはいずれか一方側）の液晶表示パネルの端部を軸として回転させることにより液晶表示装置を取りつけた枠に回路基板または回路基板表面に設けられたＩＣやソケットなどの部品が当ることなく回転し、簡単に取り外すことができ、取替えが非常に容易になる。
　【００１３】
　【実施例】
　つぎに図面を参照しながら本発明について詳細に説明する。図１は本発明の液晶表示装置の一実施例を概念的に示す斜視図、図２は図１のＡ−Ａ断面図である。実際の大型の液晶表示ボードはこの液晶表示装置が縦もしくは横または縦横に多数個配置されて（図１で一部を２点鎖線で示した）大型の表示画面が形成される。この液晶表示装置は用途により画素が１８×１８個、２４×２４個または３６×３６個程度で１０〜３０ｃｍ角程度の大きさに形成され、用途に応じてこの液晶表示装置が数個から数百個並べられて構成される。
　【００１４】
　図１において１は液晶表示パネルで、ガラス板など透明基板１ａ、１ｂとのあいだに液晶が充填されて液晶層１ｃが形成され、両透明基板１ａ、１ｂに形成された電極膜により各画素に電圧が印加され、表示される。この画素に電圧を印加するか否かは外部からの信号に基づき回路基板３ａ、３ｂに形成された駆動回路により、各画素にＯＮ、ＯＦＦの信号が送られる。駆動回路からの信号は金属細線が可撓性の絶縁フィルムに保持されるＴＡＢ２を介して液晶表示パネル１の両側端に導出された電極膜の電極端子と連結されている。この駆動回路は１個の液晶表示パネル１にたとえば５７６個位形成された各画素を駆動するもので、液晶表示パネル１の両側に形成されることにより、液晶表示パネル１の全画素を駆動できる。
　【００１５】
　ＴＡＢ２は多数の箔状リード線が可撓性フィルムで保持されたもので、その一端側が液晶表示パネル１の電極膜の各電極端子と、他端側が液晶表示パネル１を駆動する駆動回路などが形成された回路基板３ａ、３ｂの端子と接続され、両端子を接続すると共に曲げられるようになっている。このＴＡＢ２のリード線の途中には通常信号処理用のＩＣが接続され、回路基板側のリード線の数を減らしているが、ＩＣなどが搭載されないリード線だけのもの（いわゆるフレキシブルプリントサーキット）でもよい。
　【００１６】
　液晶表示パネルの両側端にＴＡＢ２を介して接続された２枚の回路基板３ａ、３ｂはＴＡＢ２部分で折り曲げられ、液晶表示パネル１と共にほぼコ字状に形成され、その中心部に蛍光灯などバックライト５が配置されている。
　【００１７】
　この回路基板３ａ、３ｂの外側を向いている表面側には、ＩＣやダイオードなどの電子部品がハイブリッド的に配置され（図１では図示されていない）、回路基板３ａ、３ｂの裏面で配線がされ、駆動回路が形成されている。この回路基板３ａ、３ｂの裏面に配線リードを覆うように、たとえばハンダの流れ止めなどにも用いられる白色シルク４が塗布されていれば、光の反射面とされ、バックライトの光を効率よく液晶表示パネルの方に反射することができ好ましい。
　【００１８】
　本発明では、図１および図２に示すように、少なくとも一方の回路基板（本実施例では３ｂ）を液晶表示パネルの面に対して垂直方向ラインＣより、さらに角度αだけ折り曲げることにより、液晶表示パネル１と回路基板３ｂとのなす角度が鋭角になるようにしたものである。このように垂直方向ラインＣよりさらに折り曲げることにより、回路基板３ｂの表面にＩＣ６やソケット７などが設けられていても、折曲げ部分の液晶表示パネル１に対して垂直方向ラインＣより内側に全て収まる。この際他方の回路基板３ａが垂直方向にしか折り曲げられていないばあいには、垂直方向に折り曲げられた回路基板３ａ上のＩＣ６やソケット７などの高さを吸収できる分だけ余計に折り曲げておくことが好ましい。しかし、回路基板３ａ、３ｂの表面の出張り部分が隣り合った液晶表示装置同士で互いにぶつからないようにするという観点からは、両回路基板３ａ、３ｂを同じ角度で折り曲げることが裏面をバックライトの光の反射面として使用する点からも好ましい。
　【００１９】
　前述の液晶表示パネル１に対して垂直方向ラインＣから、さらに折り曲げる角度αはたとえば４５度程度以下、好ましくは１０〜３０度程度で、余り曲げすぎてバックライト５からの光を遮断して表示特性を劣化させず、かつ、回路基板３ｂ上のＩＣ６やソケット７などの出張りを完全に垂直方向ラインＣより内側に抑えることができるような角度である。また、回路基板３ａ、３ｂの裏面に白色シルク４などの反射材が付着されているばあい、内側に適度に傾けられていることにより、バックライト５の光を液晶表示パネル１の方に反射でき、表示特性が向上してとくに好ましい。
　【００２０】
　本発明により、少なくとも一方の回路基板３ｂがＴＡＢ２の折曲げ部より内側すなわち液晶表示パネル１と回路基板３ｂとのなす角が鋭角をなすように折り曲げられているため、液晶表示装置をマトリックス状に並べても回路基板３ａ、３ｂ表面に設けられた回路素子やソケットがぶつかり合うことがなく、液晶表示パネル部が接近して配列され、液晶表示装置間のデッドスペースが少なくなり、表示特性が向上する。
　【００２１】
　また、連続的に多数個並べられた液晶表示装置のうちの１個を取替えるばあいにも、液晶表示パネル１とのなす角が鋭角になるように曲げられた回路基板３ｂと反対側（両方の回路基板３ａ、３ｂが鋭角に折り曲げられているときはいずれは一方）の液晶表示パネル１の端部（図２のＢ）を支点として回転させることにより、回路基板３ｂやその表面上の回路素子が取りつけ枠に当ることなく回転して表側に出てくるため、容易に取り替えることができる。
　【００２２】
　さらに駅や街頭など高い場所に表示ボードを掲示するばあいに、見易くするため、表示ボード上部の液晶表示装置をやや下を向けて配列されるばあいにも表示パネルに対して鋭角に折り曲げられた回路基板側が上側になるように配列することにより、ぶつかりありことがなく接近して配列できる。
　【００２３】
　【発明の効果】
　本発明によれば、液晶表示装置の駆動回路が形成された回路基板を液晶表示パネルの裏側へ折り曲げてコ字状にすると共に、少なくとも一方の回路基板をさらに内側に折り曲げて液晶表示パネルと鋭角をなすようにしているため、回路基板同士がぶつかりあうことなく近づけて配置できる。その結果、液晶表示装置間のデッドスペースが少なくなり、表示特性の優れた大型の表示ボードをうることができる。
　【００２４】
　さらに本発明によれば、少なくとも一方の回路基板が液晶表示パネルと鋭角をなすように折り曲げられているため、その反対側を支点として回転させると、取付け枠などに回路基板やその表面に設けた回路素子などが当ることなく回転し、容易に取り外すことができメンテナンスも容易となる。
【図面の簡単な説明】
　【図１】
　本発明の液晶表示装置の一実施例の説明図である。
　【図２】
　図１のＡ−Ａ断面図である。
　【符号の説明】
　１　液晶表示パネル
　２　ＴＡＢ
　３ａ、３ｂ　回路基板
　６　ＩＣ
　７　ソケット